(57)【特許請求の範囲】
【請求項１】
第１の基地局および第２の基地局と通信を行う通信デバイスの少なくとも１つのアップリンク（ＵＬ）伝送を扱う方法であって、
前記通信デバイスと前記第２の基地局との間の無線リンク問題を検出するステップと、
前記無線リンク問題が検出された後に、前記第２の基地局に対する少なくとも１つのＵＬ伝送の実行を停止し、前記第２の基地局に対する前記少なくとも１つのＵＬ伝送の少なくとも１つの構成を解放しないステップと、
前記第１の基地局に、前記無線リンク問題に関する情報を送信するステップと、
を含む方法。
【請求項２】
前記情報は、前記無線リンク問題が検出されたことを示す標識を含む、
請求項１に記載の方法。
【請求項３】
前記情報に応答して前記第１の基地局により送信される受信確認を受信した後に、前記少なくとも１つのＵＬ伝送の少なくとも１つの構成を解放するステップ、
をさらに含む、請求項１または２に記載の方法。
【請求項４】
前記情報が送信されてから一定時間後に、前記少なくとも１つのＵＬ伝送の少なくとも１つの構成を解放するステップ、
をさらに含む、請求項１または２に記載の方法。
【請求項５】
前記情報に応答して前記第１の基地局により送信される受信確認を受信した後に、前記第２の基地局の構成を解放するステップ、
をさらに含む、請求項１または２に記載の方法。
【請求項６】
前記情報が送信されてから一定時間後に、前記第２の基地局の構成を解放するステップ、
をさらに含む、請求項１または２に記載の方法。
【請求項７】
前記第１の基地局により送信される上位レイヤシグナリングに従って、前記少なくとも１つのＵＬ伝送の少なくとも１つの構成を解放するステップ、
をさらに含む、請求項３乃至６のいずれか一項に記載の方法。
【請求項８】
前記第１の基地局により送信される上位レイヤシグナリングに従って、前記第２の基地局の構成を解放するステップ、
をさらに含む、請求項１または２に記載の方法。
【請求項９】
前記少なくとも１つのＵＬ伝送には、物理アップリンク制御チャネル（Physical  Uplink  Control  Channel：ＰＵＣＣＨ）伝送および／またはサウンディング参照信号（Sounding  Reference  Signal：ＳＲＳ）伝送が含まれる、
請求項１乃至８のいずれか一項に記載の方法。
【請求項１０】
前記第２の基地局に対する前記ＰＵＣＣＨ伝送の構成を解放するステップと、
前記第２の基地局に対する前記ＳＲＳ伝送の構成を維持するステップと、
をさらに含む、請求項９に記載の方法。
【請求項１１】
第１の基地局および第２の基地局と通信を行う通信デバイスであって、
命令を記憶する記憶部と、
前記記憶部に接続され、前記記憶部に記憶される前記命令を実行するように構成される処理手段と、
を備え、
前記記憶部に記憶される前記命令は、
前記通信デバイスと前記第２の基地局との間の無線リンク問題を検出するステップと、
前記無線リンク問題が検出された後に、前記第２の基地局に対する少なくとも１つのアップリンク（ＵＬ）伝送の実行を停止し、前記第２の基地局に対する前記少なくとも１つのＵＬ伝送の少なくとも１つの構成を解放しないステップと、
前記第１の基地局に、前記無線リンク問題に関する情報を送信するステップと、
を実行させる命令である、
通信デバイス。
【請求項１２】
第１の基地局および第２の基地局と通信を行うコンピューターであって、
コンピューター可読媒体、
を備え、
前記コンピューター可読媒体は、
前記コンピューターに、前記コンピューターと前記第２の基地局との間の無線リンク問題を検出させる第１のコードセットと、
前記コンピューターに、前記無線リンク問題が検出された後に、前記第２の基地局に対する少なくとも１つのアップリンク（ＵＬ）伝送の実行を停止させ、前記第２の基地局に対する前記少なくとも１つのＵＬ伝送の少なくとも１つの構成を解放させない第２のコードセットと、
前記コンピューターに、前記第１の基地局に、前記無線リンク問題に関する情報を送信させる第３のコードセットと、
を含む、
コンピューター。
【請求項１３】
第１の基地局および第２の基地局と通信を行う装置であって、
前記装置に、前記装置と前記第２の基地局との間の無線リンク問題を検出させる手段と、
前記装置に、前記無線リンク問題が検出された後に、前記第２の基地局に対する少なくとも１つのアップリンク（ＵＬ）伝送の実行を停止させ、前記第２の基地局に対する前記少なくとも１つのＵＬ伝送の少なくとも１つの構成を解放させない手段と、
前記装置に、前記第１の基地局に、前記無線リンク問題に関する情報を送信させる手段と、
を備える装置。
【請求項１４】
第１の基地局および第２の基地局と通信を行う装置であって、
前記装置と前記第２の基地局との間の無線リンク問題を検出するように構成される少なくとも１つのプロセッサと、
前記無線リンク問題が検出された後に、前記第２の基地局に対する少なくとも１つのアップリンク（ＵＬ）伝送の実行を停止し、前記第２の基地局に対する前記少なくとも１つのＵＬ伝送の少なくとも１つの構成を解放しないように構成される受信機と、
前記第１の基地局に、前記無線リンク問題に関する情報を送信するように構成される送信機と、
を備える装置。
【請求項１５】
第１の基地局および第２の基地局と通信を行うように構成される少なくとも１つのプロセッサであって、
前記少なくとも１つのプロセッサに、前記少なくとも１つのプロセッサと前記第２の基地局との間の無線リンク問題を検出させる第１のモジュールと、
前記少なくとも１つのプロセッサに、前記無線リンク問題が検出された後に、前記第２の基地局に対する少なくとも１つのアップリンク（ＵＬ）伝送の実行を停止させ、前記第２の基地局に対する前記少なくとも１つのＵＬ伝送の少なくとも１つの構成を解放させない第２のモジュールと、
前記少なくとも１つのプロセッサに、前記第１の基地局に、前記無線リンク問題に関する情報を送信させる第３のモジュールと、
を備える、少なくとも１つのプロセッサ。
【請求項１６】
請求項１乃至１０に記載の、第１の基地局および第２の基地局と通信を行うときに少なくとも１つのアップリンク（ＵＬ）伝送を扱う方法に含まれる前記ステップの全てを実行するように構成される、通信デバイス。
【発明の詳細な説明】
【技術分野】
【０００１】
本発明は、アップリンク伝送を扱う方法および関連する通信デバイスに関する。
【背景技術】
【０００２】
３ＧＰＰ（Third  Generation  Partnership  Project）のＲｅｌ．８規格や３ＧＰＰのＲｅｌ．９規格の基礎となるＬＴＥ（Long  Term  Evolution）システムは、ＵＭＴＳ（Universal  Mobile  Telecommunication  System）の後継として、ＵＭＴＳの性能をさらに向上させてユーザーの高まる要望に応えるために、３ＧＰＰにより開発された。ＬＴＥシステムには、新しい無線インターフェースと新しい無線ネットワークアーキテクチャが含まれ、高いデータ伝送速度、低遅延、パケット最適化および改善されたシステム容量とサービスエリアが提供される。ＬＴＥシステムでは、進化型ＵＭＴＳ地上波無線アクセスネットワーク（Evolved  Universal  Terrestrial  Radio  Access  Network：Ｅ−ＵＴＲＡＮ）として知られる無線アクセスネットワークは、複数の進化型ノードＢ（evolved  Node  B：ｅＮＢ）を含む。ｅＮＢは、複数のユーザー装置（User  Equipment：ＵＥ）と通信を行い、また、非アクセス層（Non-Access  Stratum：ＮＡＳ）制御のために、モビリティ管理エンティティ（Mobility  Management  Entity：ＭＭＥ）やサービング・ゲートウェイ（serving  gateway）等のコアネットワークと通信を行う。
【０００３】
ＬＴＥ−Ａｄｖａｎｃｅｄ（ＬＴＥ−Ａ）システムは、その名が示すように、ＬＴＥシステムの進化型である。ＬＴＥ−Ａシステムは、電力状態の高速切替を目標とし、ｅＮＢのサービスエリア端部での性能を改善し、キャリアアグリゲーション（Carrier  Aggregation：ＣＡ）、セル間協調（Coordinated  Multipoint：ＣｏＭＰ）送受信、アップリンクＭＩＭＯ（Uplink  Multiple-Input  Multiple-Output：ＵＬ−ＭＩＭＯ）等の先進技術を採用している。ＬＴＥ−Ａシステム内でＵＥとｅＮＢが互いに通信を行うには、ＵＥとｅＮＢは、３ＧＰＰのＲｅｌ．１０規格やそれ以降のバージョンの規格等の、ＬＴＥ−Ａシステム用に開発された規格に準拠する必要がある。
【０００４】
一例として、３つのｅＮＢ（ＮＢ１〜ＮＢ３）があり、ｅＮＢ  ＮＢ１がサービスエリアの大きいマクロセルｅＮＢであり、ｅＮＢ  ＮＢ１のサービスエリア内のｅＮＢ  ＮＢ２〜ＮＢ３がサービスエリアの小さいマイクロセルｅＮＢ（またはその他の小セルｅＮＢ）であるとする。ＵＥは、ｅＮＢ  ＮＢ１，ＮＢ２の両方のサービスエリア内に位置するとし、例えばＵＥがデュアル接続性を有する場合、ｅＮＢ  ＮＢ１，ＮＢ２と同時に通信を行う。ＵＥは、ｅＮＢ  ＮＢ１のサービスエリア内に留まりつつ、その移動に従って、ｅＮＢ  ＮＢ２のサービスエリアからｅＮＢ  ＮＢ３のサービスエリアに移動する場合がある。この場合、ここでＵＥはｅＮＢ  ＮＢ１およびｅＮＢ  ＮＢ３のサービスエリア内に位置するので、どのようにＵＬ伝送（制御情報、参照信号、データ等）を行うべきかを判断することができない。例えば、ＵＥは、サウンディング参照信号（Sounding  Reference  Signal：ＳＲＳ）をｅＮＢ  ＮＢ２へ送信すべきかを判断することができない。別の例では、ＵＥは、ｅＮＢ  ＮＢ１のサービスエリア内に留まりつつ、その移動に従って、ｅＮＢ  ＮＢ２のサービスエリア外に移動する場合がある。この場合、ここでＵＥはｅＮＢ  ＮＢ１のサービスエリアのみに位置するので、どのようにＵＬ伝送（制御情報、参照信号、データ等）を行うべきかを判断することができない。例えば、ＵＥは、ＳＲＳをｅＮＢ  ＮＢ２へ送信すべきかを判断することができない。上述の例において、ＵＥは、ＳＲＳが送信されるのか否かとＳＲＳがどのように送信されるのかとに従って、異なる割当てでデータを送信する可能性がある。すなわち、データの伝送は、ＳＲＳの伝送の影響を受ける。
【発明の概要】
【発明が解決しようとする課題】
【０００５】
このように、ＵＥが位置するサービスエリアが変わるときにどのようにＵＬ伝送を行うのかは、解決されるべき重要な課題である。
【課題を解決するための手段】
【０００６】
上述の問題を解決するために、本発明は、ＵＬ伝送を扱う方法および関連する通信デバイスを提供する。
【０００７】
これは、請求項１および１３〜１８に係る、ＵＬ伝送を扱う方法および通信デバイスによって達成される。従属請求項は、対応するさらなる発展および改善に関する。
【０００８】
第１の基地局および第２の基地局と通信を行う通信デバイスの少なくとも１つのアップリンク（ＵＬ）伝送を扱う方法は、該通信デバイスと該第２の基地局との間の無線リンク問題を検出するステップと、該無線リンク問題が検出された後に、該第２の基地局に対する少なくとも１つのＵＬ伝送の実行を停止するステップと、を含む。
【図面の簡単な説明】
【０００９】
【図１】本発明の一実施例に係る無線通信システムを示す概略図である。
【図２】本発明の一実施例に係る通信デバイスを示す概略図である。
【図３】本発明の一実施例に係るプロセスを示すフローチャートである。
【図４】本発明の一実施例に係るプロセスを示すフローチャートである。
【発明を実施するための形態】
【００１０】
図１は、本発明の一実施例に係る無線通信システム１０の概略図である。無線通信システム１０は、大まかに、ユーザー装置（ＵＥ）１００および基地局（ＢＳ）１０２，１０４，１０６を含む。図１において、ＵＥ１００およびＢＳ１０２，１０４，１０６は、無線通信システム１０の構成を説明するのに用いられるに過ぎない。実際には、ＢＳ１０２（またはＢＳ１０４またはＢＳ１０６）は、進化型ＵＴＲＡＮ（Evolved  UTRAN：Ｅ−ＵＴＲＡＮ）、ＬＴＥ（Long  Term  Evolution）システム、ＬＴＥ−Ａｄｖａｎｃｅｄ（ＬＴＥ−Ａ）システムまたはＬＴＥ−Ａシステムの進化型における進化型ノードＢ（evolved  Node  B：ｅＮＢ）であってもよいし、中継基地局であってもよい。無線通信システム１０は、時分割二重（Time-Division  Duplexing：ＴＤＤ）システムであってもよく（すなわち、ＴＤＤが作動される）、周波数分割二重（Frequency-Division  Duplexing：ＦＤＤ）システムであってもよい（すなわち、ＦＤＤが作動される）。例として、ＢＳ１０２がサービスエリアの比較的大きいマクロセルＢＳであり、ＢＳ１０２のサービスエリア内のＢＳ１０４およびＢＳ１０６がサービスエリアの比較的小さいマイクロセルＢＳ（または他の小セルＢＳ）であってよい。別の例では、ＢＳ１０２がマスターｅＮＢ（ＭｅＮＢ）であり、ＢＳ１０４およびＢＳ１０６がセカンダリーｅＮＢ（ＳｅＮＢ）であってよい。ＵＥ１００は、ＭｅＮＢにより管理されるマスターセルグループ（ＭＣＧ）を形成する１以上のセルに対して構成されてよい。ＵＥ１００は、ＳｅＮＢにより管理されるセカンダリーセルグループ（ＳＣＧ）を形成する１以上のセルに対して構成されてよい。
【００１１】
図１に示すように、ＵＥ１００は、自身に設定されるデュアル接続性に従って、ＢＳ１０２およびＢＳ１０４と同時に通信を行ってよい。すなわち、ＵＥ１００は、ＢＳ１０２とＢＳ１０４の両方を介して送受信を行ってよい。例えば、ＵＥ１００は、デュアル接続性に従って、ＢＳ１０２およびＢＳ１０４からパケット（トランスポートブロック（ＴＢ）等）、信号（制御情報、参照信号等）、メッセージ等を受信してよく、或いは、デュアル接続性に従って、ＢＳ１０２およびＢＳ１０４へパケット（ＴＢ等）、信号（制御情報、参照信号等）、メッセージ等を送信してよい。ＵＥ１００は、ＢＳ１０２のサービスエリアに留まりつつ、その移動に従って、ＢＳ１０４のサービスエリアからＢＳ１０６のサービスエリアへ移動してよい。この場合ＵＥ１００は、ＢＳ１０４とのリンク品質が閾値より低くなる可能性があるので、無線リンク問題を検出することができる。
【００１２】
ＵＥ１００は、マシン型通信（Machine-type  Communication：ＭＴＣ）デバイス、携帯電話、ラップトップ、タブレットコンピューター、電子書籍リーダー、ポータブルコンピューターシステム等であってよい。さらに、ＵＥ１００、ＢＳ１０２、ＢＳ１０４またはＢＳ１０６は、その伝送方向に従って送信機とみなされてもよいし、受信機とみなされてもよい。例えば、アップリンク（ＵＬ）では、ＵＥ１００が送信機、ＢＳ１０２〜１０６が受信機であり、ダウンリンク（ＤＬ）では、ＢＳ１０２〜１０６が送信機、ＵＥ１００が受信機である。
【００１３】
図２は、本発明の一実施例に係る通信デバイス２０の概略図である。通信デバイス２０は、図１に示すＵＥ１００、ＢＳ１０２、ＢＳ１０４および／またはＢＳ１０６であってよいが、これらに限定されない。通信デバイス２０は、マイクロプロセッサや特定用途向け集積回路（Application  Specific  Integrated  Circuit：ＡＳＩＣ）等の処理手段２００と、記憶部２１０と、通信インターフェース部２２０とを有してよい。記憶部２１０は任意のデータ記憶デバイスであってよく、処理手段２００によりアクセスされ実行されるプログラムコード２１４を格納してよい。記憶部２１０の例としては、加入者識別モジュール（Subscriber  Identity  Module：ＳＩＭ）、リードオンリーメモリ（ＲＯＭ）、フラッシュメモリ、ランダムアクセスメモリ（ＲＡＭ）、ＣＤ−ＲＯＭ（Compact  Disc-Read  Only  Memory）、ＤＶＤ−ＲＯＭ（Digital  Versatile  Disc-ＲＯＭ）、ＢＤ−ＲＯＭ（Blu-ray（登録商標）  Disc-ＲＯＭ）、磁気テープ、ハードディスク、光学データ記憶デバイス、不揮発性メモリ、非一時的コンピューター可読媒体（例えば有形媒体）等が挙げられる。通信インターフェース部２２０は、好ましくは送受信機であり、処理手段２００の処理結果に従って信号（データ、信号、メッセージ、パケット等）を送受信するのに用いられる。
【００１４】
図３は、本発明の一実施例に係るプロセス３０のフローチャートである。プロセス３０は、通信デバイス（例えばＵＥ１００）が第１のＢＳ（例えばＢＳ１０２）および第２のＢＳ（例えばＢＳ１０４）と通信を行っているときに、該通信デバイスが少なくとも１つのＵＬ伝送を行う際に該通信デバイスにおいて用いられてよい。プロセス３０は、プログラムコード２１４にコンパイルされてよい。プロセス３０は、以下のステップを含む。
【００１５】
ステップ３００において、プロセスを開始する。
【００１６】
ステップ３０２において、通信デバイスと第２のＢＳとの間の無線リンク問題を検出する。
【００１７】
ステップ３０４において、無線リンク問題が検出された後に、第２のＢＳに対する少なくとも１つのＵＬ伝送の実行を停止する。
【００１８】
ステップ３０６において、プロセスを終了する。
【００１９】
プロセス３０によれば、通信デバイスは、第２のＢＳとの間の無線リンク問題を検出してよい。そして、通信デバイスは、無線リンク問題が検出された後に、第２のＢＳに対する少なくとも１つのＵＬ伝送の実行を停止（例えば一時停止）してよい。すなわち、ＵＥ１００は、無線リンク問題（無線リンク障害（Radio  Link  Failure：ＲＬＦ）等）を検出した後に、少なくとも１つのＵＬ伝送を停止してよい。例えば、少なくとも１つのＵＬ伝送は、ＢＳ１０４に対する全てのＵＬ伝送であってよい。ＲＬＦには、ＳｅＮＢ−ＲＬＦ（Ｓ−ＲＬＦ）やＳＣＧ−ＲＬＦが含まれてよい。さらに、ＵＥ１００がＲＬＦを検出する方法には様々なものがある。例えば、ＵＥ１００は、カウンタ（例えばＴ３１０）が満了した場合に、ＲＬＦが発生したと判定してよい。上記によれば、ＵＥ１００がＢＳ１０４のサービスエリアからＢＳ１０６のサービスエリアに移動する場合、またはＢＳ１０４のサービスエリア外に移動する場合でも、ＵＥ１００が不適切な信号（データ、制御情報、参照信号等）を送信することで別のＢＳ（例えばＢＳ１０６）に干渉することがない。例えば、ＢＳ１０６は、ＵＥ１００により送信される信号の受信を予測していない場合がある。ＵＥ１００がＢＳ１０６へ（すなわち、ＢＳ１０６のサービスエリア内で）信号を送信すると、他のＵＥによって送信される信号はＵＥ１００による影響を受け、ＢＳ１０６により正確に検出されない可能性がある。
【００２０】
さらに、プロセス３０によれば、ＵＥ１００は不適切な割当てでＢＳ１０２に信号（データ、制御情報、参照信号等）を送信することがないので、ＢＳ１０２は信号を正確に検出（例えば復号、復調等）することができない。例えば、どのように信号がサブフレームで送信されるのかは、サウンディング参照信号（Sounding  Reference  Signal：ＳＲＳ）が該サブフレーム内にスケジュールされるか否かによって決まる場合がある。詳細には、ＳＲＳがサブフレーム内にスケジュールされる場合、該サブフレームの最後の直交周波数分割多重（Orthogonal  Frequency  Division  Multiplexing：ＯＦＤＭ）シンボルをデータの伝送（例えば、物理アップリンク共有チャネル（Physical  Uplink  Shared  Channel：ＰＵＳＣＨ）を介して）に用いることができない。例えば、ＢＳ１０２がサブフレームの最後のＯＦＤＭシンボル内のＳＲＳの受信を予測する一方で、ＵＥ１００が最後のＯＦＤＭシンボルでデータを送信する場合、ＢＳ１０２はサブフレーム内の該データを正確に検出できない。別の例では、ＢＳ１０２がサブフレームの最後のＯＦＤＭシンボルにおけるＳＲＳの受信を予測しない一方、ＵＥ１００が最後のＯＦＤＭシンボルでＳＲＳを送信する場合、ＢＳ１０２はサブフレーム内のデータを正確に検出できない。
【００２１】
さらに、ＵＥ１００により送信される信号（ＰＵＳＣＨを介するデータ等）は消失しない。ＵＥ１００が信号を送信する一方でＢＳ１０２およびＢＳ１０６が該信号の受信を予測しない場合、ＵＥ１００により送信される信号は、ＢＳ１０２，１０６により受信されない可能性がある。プロセス３０により、上記問題は解決される。なお、上述の状況は通常、ＢＳ１０２とＢＳ１０６との間のバックホールが理想的でない場合に発生する。すなわちＢＳ１０２およびＢＳ１０６は、例えば遅延を原因として、該バックホールを介してすぐに関連情報をやりとりすることができない場合がある。
【００２２】
本発明の実現は、上述のものに限定されない。
【００２３】
ＵＥ１００はさらに、無線リンク問題に関する情報をＢＳ１０２に送信してよい。すなわち、ＵＥ１００はＢＳ１０２に、ＵＥ１００とＢＳ１０４との間に無線リンク問題があることを通知する。例えば、該情報は、少なくとも１つのＵＬ伝送の少なくとも１つの構成が解放されることを示す標識を含んでよい。少なくとも１つの構成は、少なくとも１つのＵＬ伝送に対応してよい。なお、ＵＥ１００は、少なくとも１つの構成を解放することなく、単に少なくとも１つの構成の解放をＢＳ１０２に通知してもよい。別の例では、該情報は、無線リンク問題が検出されたことを示す標識を含んでよい（例えば、カウンタＴ３１０の満了によりＲＬＦが発生したことを示すために）。すなわち、ＵＥ１００は、例えばどの構成も解放することなく、ＢＳ１０２に無線リンク問題を通知してよい。
【００２４】
さらに、ＵＥ１００は、例えば無線リンク問題に関する情報をＢＳ１０２に送信した後に、ＢＳ１０４に対する少なくとも１つのＵＬ伝送の少なくとも１つの構成を解放してよい。一例として、ＵＥ１００は、該情報に応答してＢＳ１０２により送信される受信確認を受信した後に、少なくとも１つのＵＬ伝送の少なくとも１つの構成を解放してよい。すなわち、ＵＥ１００は、任意に少なくとも１つの構成を解放するのではなく、受信確認に従って少なくとも１つの構成を解放してよい。別の例では、ＵＥ１００は、ＢＳ１０２により送信される上位レイヤシグナリング（例えば無線リソース制御（Radio  Resource  Control：ＲＲＣ）シグナリング）に従って、ＵＬ伝送の少なくとも１つの構成を解放してよい。例えば、ＢＳ１０２は、例えばＵＥ１００により送信された無線リンク問題に関する情報を受信する前（または受信した後）に、上位レイヤシグナリングを送信して、少なくとも１つの構成を解放するようＵＥ１００に指示してよい。上位レイヤシグナリングには、少なくとも１つの構成（例えば、物理アップリンク制御チャネル（Physical  Uplink  Control  Channel：ＰＵＣＣＨ）構成および／またはＳＲＳ構成）を解放するようＵＥ１００に指示する情報が含まれてよい。別の例では、ＵＥ１００は、該情報が送信された一定期間後に、ＵＬ伝送の少なくとも１つの構成を解放してよい。すなわち、ＵＥ１００はＢＳ１０２からの受信確認を予測せずに、少なくとも１つの構成の解放に向けてタイマーを開始させてよい。ＵＥ１００は、単にタイマーが満了した後（例えば２秒後）に、少なくとも１つの構成を解放してよい。つまり、ＵＥ１００は、適切な基準に従って少なくとも１つのＵＬ伝送の少なくとも１つの構成を解放してよく、上記の例に限定されない。
【００２５】
なお、上述の少なくとも１つのＵＬ伝送は、上記のものに限定されない。例えば、少なくとも１つのＵＬ伝送には、ＰＵＣＣＨ伝送が含まれてよい。別の例では、少なくとも１つのＵＬ伝送には、ＳＲＳ伝送が含まれてよい。別の例では、少なくとも１つのＵＬ伝送には、ＰＵＣＣＨ伝送とＳＲＳ伝送の両方が含まれてよい。すなわち、上述した少なくとも１つのＵＬ伝送の構成には、ＰＵＣＣＨの構成（すなわちＰＵＣＣＨ構成）、ＳＲＳ伝送の構成（すなわちＳＲＳ構成）、またはＰＵＣＣＨ伝送の構成とＳＲＳ伝送の構成の両方（すなわちＳＲＳ／ＰＵＣＣＨ構成）が含まれてよい。別の例では、ＵＥ１００は、ＢＳ１０４に対するＰＵＣＣＨ伝送の構成を解放する一方で、ＢＳ１０４に対するＳＲＳ伝送の構成を維持してよい。すなわち、ＵＥ１００は、ＰＵＣＣＨ伝送の構成とＳＲＳ伝送の構成とを別々に扱ってよい。対応する構成（例えばＳＲＳ／ＰＵＣＣＨ構成）が解放される場合、ＵＥ１００はどのように伝送（例えばＳＲＳ伝送およびＰＵＣＣＨ伝送）を行うかを判断できず、すなわち、伝送を行わない。一般に、ＳＲＳ／ＰＵＣＣＨ構成は、同時に構成される。
【００２６】
ＵＥ１００は、少なくとも１つのＵＬ伝送の少なくとも１つの構成を解放する替わりに、ＢＳ１０４の構成を解放してよい。一実施例において、ＵＥ１００は、無線リンク問題に関する情報をＢＳ１０２に送信した後に、ＢＳ１０４の構成を解放してよい。一実施例において、ＵＥ１００は、該情報に応答してＢＳ１０２により送信される受信確認を受信した後に、ＢＳ１０４の構成を解放してよい。すなわち、ＵＥ１００は、任意に構成を解放するのではなく、受信確認に従って構成を解放してよい。別の例では、ＵＥ１００は、ＢＳ１０２により送信される上位レイヤシグナリング（例えばＲＲＣシグナリング）に従って、ＢＳ１０４の構成を解放してよい。例えば、ＢＳ１０２は、例えばＵＥ１００により送信された無線リンク問題に関する情報を受信する前（または受信した後）に、上位レイヤシグナリングを送信して、構成を解放するようＵＥ１００に指示してよい。上位レイヤシグナリングには、構成を解放するようＵＥ１００に指示する情報が含まれてよい。別の例では、ＵＥ１００は、該情報が送信されてから一定期間後に、ＢＳ１０４の構成を解放してよい。すなわち、ＵＥ１００はＢＳ１０２からの受信確認を予測せずに、構成の解放に向けてタイマーを開始させてよい。ＵＥ１００は、単にタイマーが満了した後（例えば２秒後）に、構成を解放してよい。つまり、ＵＥ１００は、適切な基準に従ってＢＳ１０４の構成を解放することができ、上記の例に限定されない。
【００２７】
図４は、本発明の一実施例に係るプロセス４０を示すフローチャートである。プロセス４０は、ＵＥ１００がＢＳ１０２およびＢＳ１０４と通信を行っているときに少なくとも１つのＵＬ伝送を行う際に、ＵＥ１００によって用いられてよい。プロセス４０は、プログラムコード２１４にコンパイルされてよい。プロセス４０は、以下のステップを含む。
【００２８】
ステップ４００において、プロセスを開始する。
【００２９】
ステップ４０２において、ＵＥ１００とＢＳ１０４との間の無線リンク問題を検出する。
【００３０】
ステップ４０４において、無線リンク問題が検出された後に、ＢＳ１０４に対するＰＵＣＣＨ伝送および／またはＳＲＳ伝送の実行を停止する。
【００３１】
ステップ４０６において、無線リンク問題を示す標識をＢＳ１０２に送信する。
【００３２】
ステップ４０８において、プロセスを終了する。
【００３３】
プロセス４０によれば、ＵＥ１００は、ＢＳ１０４との間の無線リンク問題を検出してよい。ＵＥ１００は、無線リンク問題が検出された後に、ＢＳ１０４に対するＰＵＣＣＨ伝送および／またはＳＲＳ伝送の実行を停止してよい。ＵＥ１００は、無線リンク問題を示す標識をＢＳ１０２に送信してよい。そして、ＵＥ１００は、上位レイヤシグナリング（例えばＲＲＣシグナリング）（例えば、ＢＳ１０２により送信される）に従って、ＰＵＣＣＨ伝送および／またはＳＲＳ伝送の構成を解放してよい。プロセス４０の詳細および変形については上記を参照することができ、ここでは論じない。
【００３４】
当業者であれば、上述の記載および実施例について、組み合わせ、変更および／または代替を容易に行うことができるであろう。上述の記載、ステップおよび／または示唆されるステップを含むプロセスは、ハードウェア、ソフトウェア、ファームウェア（ハードウェアデバイスと該ハードウェアデバイス上の読取専用ソフトウェアとして存在するコンピューター命令およびデータとの組合わせとして知られる）、電子システム、それらの組合わせ等の手段によって実現することができる。該手段の一例として、通信デバイス２０が挙げられる。
【００３５】
ハードウェアの例としては、アナログ回路、デジタル回路、混合回路等が挙げられる。例えば、ハードウェアには、ＡＳＩＣ、フィールドプログラマブル・ゲートアレイ（ＦＰＧＡ）、プログラマブル論理デバイス、接続されたハードウェア要素、それらの組合わせ等が含まれてよい。別の例では、ハードウェアには、汎用プロセッサ、マイクロプロセッサ、コントローラ、デジタル信号プロセッサ（Digital  Signal  Processor：ＤＳＰ）、それらの組合わせ等が含まれてよい。
【００３６】
ソフトウェアの例としては、コンピューター可読媒体等の記憶部に保持（例えば記憶）されるコードセット、命令セットおよび／または機能セットが挙げられる。コンピューター可読媒体には、ＳＩＭ、ＲＯＭ、フラッシュメモリ、ＲＡＭ、ＣＤ−ＲＯＭ、ＤＶＤ−ＲＯＭ、ＢＤ−ＲＯＭ、磁気テープ、ハードディスク、光学データ記憶デバイス、不揮発性メモリ、それらの組合わせ等が含まれてよい。コンピューター可読媒体（例えば記憶部）は、少なくとも１つのプロセッサと内的に接続（例えば一体化）されてもよいし、外的に接続（例えば分離）されてもよい。少なくとも１つのプロセッサは、１以上のモジュールを有してよく、コンピューター可読媒体に記憶されたソフトウェアを実行するように構成されてよい。コードセット、命令セットおよび／または機能セットは、少なくとも１つのプロセッサ、モジュール、ハードウェアおよび／または電子システムに、関連ステップを実行させてよい。
【００３７】
電子システムの例としては、システムオンチップ（ＳｏＣ）、システムインパッケージ（ＳｉＰ）、コンピューターオンモジュール（ＣｏＭ）、コンピューター、装置、携帯電話、ラップトップ、タブレット型コンピューター、電子書籍リーダー、ポータブルコンピューターシステム、通信デバイス２０等が挙げられる。
【００３８】
まとめると、本発明は、ＵＬ伝送を扱う方法を提供する。本発明は、従来の通信デバイスでは無線リンク問題が検出された場合にＵＬ伝送の実行方法が判断できないという問題を解決する。無線リンク問題は、通信デバイスがあるＢＳのサービスエリアから他のＢＳのサービスエリアへ移動したときに起こり得る。よって、ＢＳおよび通信デバイスは、無線リンク問題の影響を受けることなく、通常どおりに動作することができる。
【図１】
0006034841.tif 000002
【図２】
0006034841.tif 000003
【図３】
0006034841.tif 000004
【図４】
0006034841.tif 000005